(57)【特許請求の範囲】
【請求項１】
機械攪拌式脱硫装置を用いた溶銑の脱硫方法において、インペラーによって攪拌されている溶銑の浴面上に、多重管構造である上吹きランスの先端部から搬送用ガスとともに脱硫剤を上吹き添加するとともに、脱硫剤を上吹きする部位の外周に設けた前記上吹きランス先端部の部位から、炭化水素ガスまたは水素ガスを溶銑浴面に向けて同時に吹き付けて脱硫処理を行うに際し、
前記上吹きランスは鉛直方向下方を向いて配置され、溶銑を収容する処理容器の内壁半径をＤ（ｍ）、処理容器の中心から前記上吹きランス中心までの水平距離をＡ（ｍ）としたときに、該水平距離（Ａ）が、前記内壁半径（Ｄ）に対して下記の（２）式の関係を満足する範囲内であって、前記溶銑浴表面近傍の溶銑の鉛直方向の流れが下向きとなる位置であることを特徴とする、溶銑の脱硫方法。
０≦Ａ≦（２／３）×Ｄ…（２）
【発明の詳細な説明】
【技術分野】
【０００１】
本発明は、機械攪拌式脱硫装置を用いた溶銑の脱硫方法に関し、詳しくは、脱硫反応を促進して効率良く溶銑を脱硫する方法に関する。
【背景技術】
【０００２】
高炉から出銑された溶銑には、鋼の品質に悪影響を及ぼす燐（元素記号：Ｐ）、硫黄（元素記号：Ｓ）が高濃度に含有されており、これらを除去する種々の技術が開発されている。今日の鉄鋼精錬プロセスにおいては、転炉での脱炭精錬に先立って溶銑に含有される燐及び硫黄を予め除去する方法、所謂、「溶銑の予備処理」が一般的に行われている。このうち、溶銑の脱硫処理は、水平断面がほぼ円形を有する精錬容器に溶銑を保持し、脱硫剤を溶銑上に添加し、インペラー（「攪拌羽根」、「攪拌翼」とも呼ぶ）と称する、羽根を有する回転子を溶銑内に浸漬して回転させ、溶銑及び脱硫剤を攪拌して脱硫する方法（以下、「機械攪拌式脱硫法」という）が広く行われている。この機械攪拌式脱硫法においては安価なＣａＯ（石灰）を主成分とする脱硫剤が用いられている。
【０００３】
ＣａＯによる溶鉄の脱硫反応は、一般的に下記の（１）式で表される。
［Ｓ］＋（ＣａＯ）＝（ＣａＳ）＋［Ｏ］  …（１）
（１）式において、［Ｓ］は溶鉄中の硫黄、（ＣａＯ）はスラグ中の酸化カルシウム、（ＣａＳ）はスラグ中の硫化カルシウム、［Ｏ］は溶鉄中の酸素を示す。（１）式の反応を進めて脱硫を促進させるには、還元雰囲気にして溶鉄中の酸素ポテンシャルを低下させることが有効であることが分かる。
【０００４】
これを実現させる技術として、特許文献１には、機械攪拌による溶銑脱硫において、脱硫剤を上吹きランスを介して、炭化水素ガスなどの還元性ガスやＡｒガスなどの不活性ガスからなる搬送用ガスとともに溶銑浴面に上吹き添加して脱硫する方法が開示されている。また特許文献２には、機械攪拌による溶銑脱硫において、水素ガスまたは分解して水素ガスを発生する炭化水素ガスを含むガスを溶銑湯面に吹き付け、溶銑湯面に前記ガスの吹き付けによる所定量の凹みを形成させながら脱硫する方法が開示されている。
【先行技術文献】
【特許文献】
【０００５】
【特許文献１】特開２００５−１７９６９０号公報
【特許文献２】特開２００３−１６６００９号公報
【発明の概要】
【発明が解決しようとする課題】
【０００６】
しかしながら、上記従来技術には以下の問題点がある。
【０００７】
即ち、特許文献１に開示されるように、脱硫剤を上吹きランスを介して搬送用ガスとともに上吹き添加する方法は、従来の上置き添加方法に比較すると、粉状の脱硫剤を溶銑に効率良く添加することができるが、上吹きするガス噴流の外側は減衰するので脱硫剤が浴面に到達する前に飛散して、集塵機に吸引されてしまい、結果的に脱硫剤の歩留りが低下し、脱硫効率が期待されるほど向上しないという問題点がある。つまり、上吹きランスを用いた上吹き添加方法は優れる方法であるが、更なる改良が必要である。
【０００８】
特許文献２は、溶銑の酸素ポテンシャルを低下させて脱硫反応を促進させる手段としては優れているが、粉状の脱硫剤を添加しようとする場合には、水素ガスまたは炭化水素ガスを含有するガスを吹き込むための上吹きランス以外に、脱硫剤を上吹き添加するための上吹きランスが別途必要となり、設備費が嵩むのみならず、設備が煩雑になるという問題点がある。
【０００９】
本発明は上記事情に鑑みてなされたもので、その目的とするところは、機械攪拌式脱硫装置で攪拌されている溶銑に上吹きランスから脱硫剤を上吹き添加して溶銑を脱硫処理する際に、脱硫剤の飛散を抑制して、反応性に優れる細粒の脱硫剤を効率良く溶銑中へ添加すると同時に、溶銑の酸素ポテンシャルを効率良く低下させて、溶銑を安定して効率的に脱硫する方法を提供することである。
【課題を解決するための手段】
【００１０】
上記課題を解決するための第１の発明に係る溶銑の脱硫方法は、機械攪拌式脱硫装置を用いた溶銑の脱硫方法において、インペラーによって攪拌されている溶銑の浴面上に、多重管構造である上吹きランスの先端部から搬送用ガスとともに脱硫剤を上吹き添加するとともに、脱硫剤を上吹きする部位の外周に設けた前記上吹きランス先端部の部位から、還元性ガス、不活性ガス、非酸化性ガスの内の何れか１種または２種以上のガスを溶銑浴面に向けて同時に吹き付けて脱硫処理を行うことを特徴とする。
【００１１】
第２の発明に係る溶銑の脱硫方法は、第１の発明において、脱硫剤を上吹きする部位の外周に設けた部位から吹き込むガスが、炭化水素ガスまたは水素ガスであることを特徴とする。
【００１２】
第３の発明に係る溶銑の脱硫方法は、第１または第２の発明において、前記上吹きランスは鉛直方向下方を向いて配置され、溶銑を収容する処理容器の内壁半径をＤ（ｍ）、処理容器の中心から前記上吹きランス中心までの水平距離をＡ（ｍ）としたときに、該水平距離（Ａ）が、前記内壁半径（Ｄ）に対して下記の（２）式の関係を満足する範囲内であることを特徴とする。
０≦Ａ≦（２／３）×Ｄ…（２）
【発明の効果】
【００１３】
本発明によれば、反応性に優れる細粒の脱硫剤を搬送用ガスとともに上吹きランスの先端から上吹き添加して溶銑を脱硫処理する際に、脱硫剤の吹き付け部位よりも外周の上吹きランス先端の部位からガスを溶銑浴面に向けて吹き付けるので、このガスによるガスカーテン効果によって内側から吹き付ける脱硫剤の飛散が抑制され、脱硫剤の添加歩留まりが向上して脱硫反応が促進され、少ない脱硫剤で所望する脱硫処理が実施可能となる。その結果、脱硫剤原単位の削減、これに伴う発生スラグ量の削減などが達成され、工業上有益な効果がもたらされる。
【図面の簡単な説明】
【００１４】
【図１】水モデル実験装置において、二重管構造の上吹きランスから吹き込む脱硫剤の飛散量を測定した結果を示す図である。
【図２】機械攪拌式脱硫装置を模擬した実験装置の概略図である。
【図３】水モデル実験装置において、浴内の鉛直方向の流れとその流速値とを計測した結果を示す図である。
【図４】本発明を実施した機械攪拌式脱硫装置の側面概略図である。
【発明を実施するための形態】
【００１５】
以下、本発明を具体的に説明する。先ず、本発明に至った経緯について説明する。
【００１６】
本発明者らは、機械攪拌式脱硫装置を用いた溶銑の脱硫処理において、細粒の脱硫剤を歩留まり良く溶銑に添加する方法を種々検討・研究した。その結果、特許文献１に開示された、脱硫剤を搬送用ガスとともに上吹きランスから上吹き添加する方法が格段に添加歩留りが向上し、脱硫率が向上することを確認した。
【００１７】
しかしながら、実機における試験結果から、上吹きランスを介して搬送用ガスとともに脱硫剤を供給する場合に、上吹きガス噴流の周囲で脱硫剤の飛散が確認され、脱硫剤の歩留りが低下していることが分かった。つまり、上吹きランスを介した上吹き添加方法であっても、いまだ改善する余地のあることが分かった。
【００１８】
そこで、本発明者らは、上吹きランスを介した上吹き添加脱硫方法において、脱硫剤の更なる歩留り向上を目的として検討・研究を実施した。この検討・研究過程で、搬送用ガスとともに上吹き添加する脱硫剤の飛散量を少なくするためには、脱硫剤を添加する上吹きランスを多重管構造として、内部側で脱硫剤を吹き込み、その外周側でガスを吹き込むことで、外周側のガスによるガスカーテン効果により、内部側の脱硫剤の飛散を抑制することができるという考えに至った。
【００１９】
そこで先ず、機械攪拌式脱硫装置の水モデル実験装置において、内管及び外管からなる二重管構造の上吹きランスを用いて、内管には脱硫剤を窒素ガスともに流し、外管（正確には内管と外管との間隙）には窒素ガスのみを流し、これらを水面に向けて鉛直方向から噴射し、周囲に飛散する脱硫剤の量を測定した。具体的には、集塵機に回収される排ガス中のダスト濃度を測定し、排ガス中のダスト濃度から周囲に飛散する脱硫剤の量を測定した。測定結果を図１に示す。図１に示すように、外管からもガスを吹き付けた場合には、脱硫剤の飛散量が著しく減少することが分かった。
【００２０】
更に、機械攪拌式脱硫装置を模擬した実験装置を用いて、多重管式上吹きランスを用いた場合の脱硫挙動を調査した。図２に、機械攪拌式脱硫装置を模擬した実験装置の概略図を示す。
【００２１】
実験装置は高周波加熱コイル１４を備えており、高周波加熱コイル１４によって加熱され溶融した、内壁半径（Ｄ）が１５０ｍｍの坩堝容器１０に保持された溶銑３に、インペラー１２を浸漬させ、電動機１３によってインペラー１２を回転させて溶銑３を攪拌した。溶銑３の攪拌が定常状態になった後、溶銑３の浴面上方に設置した、内管及び外管からなる二重管構造の上吹きランス１１の内管から、窒素ガスを搬送用ガスとしてＣａＯを主成分とする脱硫剤を溶銑浴面に上吹き添加すると同時に、上吹きランス１１の外管（外管と内管との間隙）から窒素ガスを溶銑浴面に吹き付けた。上吹きランス１１の設置位置は、坩堝容器１０の中心位置からの水平距離が８０ｍｍの位置に固定した。
【００２２】
その結果、外管から窒素ガスの吹き付けを行わない場合に比較して、外管から窒素ガスを脱硫剤の吹き付けと同時に行った場合に、脱硫効率が向上することが分かった。外管から吹き付けるガスは、脱硫反応が還元反応であることから、酸素ガスを含有しないガスであれば、つまり、還元性ガス、不活性ガス、非酸化性ガスの内の何れかであれば、問題ないことも分かった。当然これらのガスを混合しても全く問題ないことも分かった。還元性ガスとしては、炭化水素ガス、水素ガス、ＣＯガスなど、不活性ガスとしてはＡｒガスなどの希ガス、非酸化性ガスとしては窒素ガスなどが挙げられる。
【００２３】
また、これらのガス種のなかでも、炭化水素ガスまたは水素ガスを外管から吹き込んだ場合に最も脱硫効率が向上することが分かった。これは、以下の理由によるものである。即ち、外周のガスを炭化水素ガスまたは水素ガスにすることで、これらのガスは雰囲気中の酸素ガス或いは溶銑中の酸素と反応する。その結果、雰囲気が還元性となって脱硫反応が促進されるからである。更には、炭化水素ガスや水素ガスの燃焼によって脱硫剤が溶銑浴面上へ到達する間に加熱されるので、脱硫剤の滓化が促進されるのみならず、脱硫剤顕熱による溶銑温度の降下が抑制されて、脱硫効率を向上させるからである。
【００２４】
また更に、実機における試験結果から、上吹きランスを介して搬送用ガスとともに脱硫剤を供給する場合には、脱硫剤の吹き付け位置に応じて脱硫率が大きく変化することを知見した。この原因を種々追究した結果、機械攪拌浴内の流動が大きく影響していることを確認した。
【００２５】
そこで、容器内径が１５０ｍｍの機械攪拌式脱硫装置の水モデル実験装置を用いて、機械攪拌時の浴内流動を定量的に求めた。水モデル実験装置において、機械攪拌時の鉛直方向の流れとその流速値とを計測した結果、図３に示すように、容器中心から水平距離が１００ｍｍの位置、つまり容器半径の２／３の位置より内側では、浴面及び浴内での流れが下向きになっているのに対し、それより外側では流れが上向きになっていることが分かった。
【００２６】
浴内流れが下向きの場合、つまり容器半径の２／３以内の位置で脱硫剤を上吹き添加する場合には、上吹きランスから吹き付けた脱硫剤は浴中に侵入してから下向き流れにのって浴内へ巻込まれて脱硫反応が進むのに対し、浴内流れが上向きの場合、つまり容器半径の２／３より外側の位置で脱硫剤を上吹き添加する場合には、吹き付けた脱硫剤はいちど浴内へ侵入するものの上向き流れにのって浴面上へ浮上することとなり、脱硫反応が抑制されてしまう。
【００２７】
また、外管から炭化水素ガスまたは水素ガスを吹き付ける場合にも、上吹きランスからの噴流の溶銑浴面への衝突位置は処理容器半径の２／３以内の位置であることが望ましい。これは、炭化水素ガスまたは水素ガスが効率良く溶銑中に侵入して溶銑中酸素と反応するためには、上吹きランスからの噴流の衝突位置が、浴内の鉛直下向き方向流れが大きい部位であるほど浴内に広く分散して溶銑の脱酸が促進されるからである。
【００２８】
つまり、上吹きランスを鉛直下向き方向に配置したときには、上吹きランスの設置位置を、下記の（２）式の関係を満足する範囲とするときに、高い脱硫率が得られることが分かった。
０≦Ａ≦（２／３）×Ｄ…（２）
但し、（２）式において、Ａは、処理容器の中心から上吹きランスの中心位置までの水平距離（ｍ）、Ｄは、処理容器の内壁半径（ｍ）である。
【００２９】
本発明は、これらの試験結果に基づくものであり、機械攪拌式脱硫装置を用いた溶銑の脱硫方法において、インペラーによって攪拌されている溶銑の浴面上に、多重管構造である上吹きランスの先端部から搬送用ガスとともに脱硫剤を上吹き添加するとともに、脱硫剤を上吹きする部位の外周に設けた前記上吹きランス先端部の部位から、還元性ガス、不活性ガス、非酸化性ガスの内の何れか１種または２種以上のガスを溶銑浴面に向けて同時に吹き付けて脱硫処理を行うことを特徴とする。
【００３０】
次に、図面を参照して本発明に係る溶銑の脱硫処理方法を説明する。
【００３１】
図４は、本発明を実施した機械攪拌式脱硫装置の側面概略図であり、図４は、溶銑を収容する処理容器として水平断面が円形である鍋型の溶銑鍋を使用した例を示している。処理容器の形状については、機械攪拌式脱硫装置で脱硫処理を行うことから、図４に示すように水平断面が円形である処理容器が最適である。
【００３２】
図４において、高炉から出銑された溶銑３を収容する溶銑鍋２が、台車１に搭載されて機械攪拌式脱硫装置に搬入されている。機械攪拌式脱硫装置は、溶銑鍋２に収容された溶銑３に浸漬・埋没し、旋回して溶銑３を攪拌するための耐火物製のインペラー４を備えており、このインペラー４は、昇降装置（図示せず）によってほぼ鉛直方向に昇降し、且つ、回転装置（図示せず）によって軸４ａを回転軸として旋回するようになっている。また、機械攪拌式脱硫装置には、溶銑３の上方に、脱硫剤６を溶銑鍋２に収容された溶銑３に向けて上吹きして添加すると同時に、この脱硫剤６の噴流の外周にガスカーテン用のガスを溶銑３に向けて吹き付けるための、内管及び外管からなる二重管構造の上吹きランス５がほぼ鉛直方向下方を向いて設置されている。
【００３３】
上吹きランス５の内管は、粉体状の脱硫剤６を収容するディスペンサー７とディスペンサー７から定量切り出すための切り出し装置８とからなる供給装置と接続しており、上吹きランス５の内管から、搬送用ガスとともに、粉体状の脱硫剤６を任意のタイミングで供給できる構造になっており、また、上吹きランス５の外管は、還元性ガス、不活性ガス、非酸化性ガスの何れか１種または２種以上を供給するための供給管と接続しており、上吹きランス５の外管と内管との環状の間隙から、任意のタイミングで前記ガスをガスカーテン用ガスとして供給できる構造になっている。脱硫剤６の搬送用ガスとしては、還元性ガス、不活性ガスまたは非酸化性ガスを使用する。
【００３４】
また、溶銑鍋２の上方位置には、溶銑鍋２を覆う集塵フード９が備えられ、集塵フード９に取り付けられた排気ダクト（図示せず）を介して処理中の排ガスやダストが集塵機（図示せず）に吸引されるようになっている。この場合、インペラー４の軸４ａ、上吹きランス５は、集塵フード９を貫通し且つ上下移動が可能なように設置されている。
【００３５】
インペラー４の位置が溶銑鍋２のほぼ中心になるように、溶銑鍋２を搭載した台車１の位置を調整し、次いで、インペラー４を下降させて溶銑３に浸漬させる。インペラー４が溶銑３に浸漬したならば、インペラー４の旋回を開始し、所定の回転数まで昇速する。インペラー４の回転数が所定の回転数に達したならば、切り出し装置８を起動させて、ディスペンサー７に収容された脱硫剤６を、搬送用ガスとともに溶銑３の浴面に向けて上吹きランス５の内管から吹き付けて添加する。この脱硫剤６の吹き付け添加と同時に、上吹きランス５の外管から、ガスカーテン用ガスを溶銑浴面に供給する。ガスカーテン用ガスは、少なくとも脱硫剤６の上吹き添加の期間は吹き付けることとし、脱硫剤６の上吹き添加の以前からまたは以降も吹き付けても構わない。この場合に、上吹きランス５の位置は上記の（２）式を満足することが好ましい。
【００３６】
所定量の脱硫剤６を添加完了し、そして、所定時間の攪拌が行われたなら、インペラー４の回転数を減少させ停止させる。インペラー４の旋回が停止したなら、インペラー４を上昇させ、溶銑鍋２の上方に待機させる。生成したスラグが浮上して溶銑表面を覆い、静止した状態で溶銑３の脱硫処理が終了する。脱硫処理後、生成したスラグを溶銑鍋２から排出し、次の精錬工程に溶銑鍋２を搬送する。
【００３７】
以上説明したように、本発明によれば、反応性に優れる細粒の脱硫剤６を搬送用ガスとともに上吹きランス５の先端から上吹き添加する際に、脱硫剤６の吹き付け部位よりも外周の上吹きランス先端の部位からガスを吹き付けるので、このガスによるガスカーテン効果によって内側から吹き付ける脱硫剤６の飛散が抑制され、脱硫剤６の添加歩留まりが向上して脱硫反応が促進され、少ない脱硫剤６で所望する脱硫処理が実施可能となる。
【００３８】
尚、上記説明では、上吹きランス５は二重管構造であるが、四重管構造として内部水冷型としても構わず、また、ガスカーテン用ガスを吹き込む部位が外管と内管との間隙部の環状であるが、丸孔のノズル形式、例えば、溶銑の脱炭精錬を行う転炉で使用される、中心部に主孔が配置され、その周期に複数の副孔が設置された上吹きランスのような形状としても構わない。
【実施例１】
【００３９】
図４に示す機械攪拌式脱硫装置を用い、脱硫剤としてＣａＯ粉を使用して溶銑の脱硫処理を行った結果（本発明例１〜３、参考例１、２、及び比較例１、２）を示す。
【００４０】
本発明例、参考例、及び比較例ともに、脱硫剤の搬送用ガスとしては窒素ガスを使用し、インペラーは４枚の羽根を有し、羽根に傾斜のないものを使用した。用いた溶銑の化学成分は、Ｃ：３．５〜５．０質量％、Ｓｉ：０．１〜０．３質量％、Ｐ：０．０５〜０．１５質量％、Ｓ：０．０４〜０．０５質量％で、溶銑温度は１２５０〜１３５０℃の範囲であった。脱硫処理は２００〜５００トンの溶銑が処理可能な、内壁半径が２０００ｍｍの溶銑鍋を処理容器として用いた。脱硫剤の溶銑トンあたりの添加量は本発明例、参考例、及び比較例ともに一定とした。
【００４１】
参考例１では、外管と内管との間隙から窒素ガスを吹き込み、本発明例１〜３および参考例２では、外管と内管との間隙からプロパンガスを吹き込んで脱硫処理した。これに対して、比較例１では、外管と内管との間隙からはガスを吹き込まずに脱硫処理した。また、比較例２では、外管と内管との間隙からはガスを吹き込まず、別途設置したランスから溶銑浴面に向けてプロパンガスを吹き付けながら脱硫処理した。上吹きランスは、距離Ａ＝（１／３）×Ｄの位置に設置することを基本とし、本発明例２〜３および参考例２では、距離Ａ＝（０．５／３）×Ｄ〜（２．５／３）×Ｄの範囲で上吹きランスの設置位置を変更した。
【００４２】
本発明例、参考例、及び比較例ともに、処理前後の溶銑から試料を採取し、脱硫率を調査した。ここで、脱硫率は下記の（３）式で定義される値である。
【００４３】
【数１】
0005609081.tif 000002
【００４４】
本発明例、参考例、及び比較例の実施結果を表１に示す。
【００４５】
【表１】
0005609081.tif 000003
【００４６】
表１に示すように、外管と内管との間隙からガスカーテン用ガスを吹き込んだ本発明例１及び本発明例２では、脱硫率は９０％以上と高位であり、ガスカーテン用ガスを吹き込まない比較例１に比べて大幅に脱硫率が向上した。特に、ガスカーテン用ガスとしてプロパンガスを使用した本発明例２で脱硫率が高位であった。また、プロパンガスを浴面に別途供給した比較例２に対しても、本発明例１及び本発明例２は脱硫率が高位であった。
【００４７】
また、上吹きランスの設置位置を変更した本発明例１〜３および参考例２における脱硫率を比較すると、距離Ａ＝（１／３）×Ｄである本発明例１の脱硫率が最も高くなった。距離Ａ＝（２／３）×Ｄ以内の範囲である本発明例２，３では９０％の脱硫率が得られたが、距離Ａが（２／３）×Ｄを超えた参考例２の脱硫率は８７％であった。但し、参考例２でも比較例１，２に比べると高い脱硫率が得られた。
【符号の説明】
【００４８】
１  台車
２  溶銑鍋
３  溶銑
４  インペラー
５  上吹きランス
６  脱硫剤
７  ディスペンサー
８  切り出し装置
９  集塵フード
１０  坩堝容器
１１  上吹きランス
１２  インペラー
１３  電動機
１４  高周波加熱コイル
【図１】
0005609081.tif 000004
【図２】
0005609081.tif 000005
【図３】
0005609081.tif 000006
【図４】
0005609081.tif 000007